(57)【要約】【課題】コンタクトピンを変位させて電気部品の接続端子部に離接させるスライドプレートを移動させるためのレバーの構造を簡単にすることにより、省スペース化と共に部品点数を削減する。  【解決手段】電気部品用ソケット２０のソケット本体２１とソケットカバー２３の下面との間に設けられ、該ソケットカバー２３の下降操作の力をスライドプレート２４へ伝えて該スライドプレート２４を下降させるレバー２５は、その一端部に上記ソケット本体２１と係合する係合部３１を有し、他端部に上記ソケットカバー２３の下面に当接する当接部３２を有し、上記係合部３１と当接部３２との間に上記スライドプレート２４を下方に押圧する押圧部３３を有して形成される。【選択図】図１
2008277104.tif 000002
【特許請求の範囲】
【請求項１】
電気部品を収容する収容部を有するソケット本体と、
上記ソケット本体内に配設され、上記電気部品の接続端子部に離接可能とされた複数のコンタクトピンと、
上記ソケット本体の上部に上下動可能に装着されたソケットカバーと、
上記ソケット本体内に上下動可能に配設され、上記コンタクトピンを変位させて上記電気部品の接続端子部に離接させるスライドプレートと、
上記ソケット本体とソケットカバーの下面との間に設けられ、該ソケットカバーの下降操作の力を上記スライドプレートへ伝えて該スライドプレートを下降させるレバーと、
を備える電気部品用ソケットにおいて、
上記レバーは、その一端部に上記ソケット本体と係合する係合部を有し、他端部に上記ソケットカバーの下面に当接する当接部を有し、上記係合部と当接部との間に上記スライドプレートを下方に押圧する押圧部を有して形成されたことを特徴とする電気部品用ソケット。
【請求項２】
上記レバーの係合部は、上記ソケット本体の内側面に形成された引掛部と係合することを特徴とする請求項１記載の電気部品用ソケット。
【請求項３】
上記レバーの当接部は、上記ソケットカバーの下面に形成された傾斜面に対して摺接することを特徴とする請求項１又は２記載の電気部品用ソケット。
【請求項４】
上記レバーは、上記ソケット本体、ソケットカバー及びスライドプレートによって囲まれる空間内に配置されていることを特徴とする請求項１〜３のいずれか１項に記載の電気部品用ソケット。
【発明の詳細な説明】
【技術分野】
【０００１】
本発明は、ＩＣパッケージ等の電気部品を着脱可能に収容し回路基板に接続する電気部品用ソケットに関し、詳しくは、ソケット本体内に配設された複数のコンタクトピンを変位させて電気部品の接続端子部に離接させるスライドプレートを移動させるためのレバーの構造を簡単にすることにより、省スペース化と部品点数の削減を可能とする電気部品用ソケットに係るものである。
【背景技術】
【０００２】
従来のこの種の電気部品用ソケット、特に、オープントップタイプのソケットは、図６に示すように、電気部品としてのＩＣパッケージ１を収容する収容部を有するソケット本体２と、このソケット本体２内に配設され、ＩＣパッケージ１の接続端子部に離接可能とされた複数のコンタクトピン３と、ソケット本体２の上部に上下動可能に装着されたソケットカバー４と、ソケット本体２内に上下動可能に配設され、上記コンタクトピン３を変位させてＩＣパッケージ１の接続端子部に離接させるスライドプレート５と、ソケット本体２とソケットカバー４の下面との間に設けられ、ソケットカバー４の下降操作の力を上記スライドプレート５へ伝えて下降させるレバー６とを備えていた。
【０００３】
ＩＣパッケージ１は、パッケージ本体の下面に接続端子部としての多数の半田ボールが突出され、縦方向と横方向とにマトリックス状に配列されている。また、コンタクトピン３は、バネ性を有し、導電性に優れた板材がプレス加工により形成されている。さらに、スライドプレート５は、平面形状が例えば矩形状に形成されており、周辺部等の一部を除く領域に開けられた多数のピン穴に１本ずつコンタクトピンを挿入して、このスライドプレート５の上下動により各コンタクトピン３を変位させるようになっている。
【０００４】
詳しくは、コンタクトピン３は、上側の略半分に、一対の弾性片が形成され、下側の略半分に、１本のソルダーテール部が形成されている。それら一対の弾性片は、下端部側の基部が略Ｕ字状に折曲されることにより、互いに対向するように形成されている。また、それら弾性片の上端部（先端部）には、ＩＣパッケージ１の半田ボールの側面部に離接する接触部が形成され、この両接触部で半田ボールが狭持されるようになっている。また、このコンタクトピン３の一対の弾性片には、互いに相手側に向けて凸となるように略くの字状に折曲した折曲部が形成されることにより、互いに交差され、これら折曲部が後述するスライドプレート５に設けられたカム部にて押圧されて両接触部が開くように構成されている。
【０００５】
一方、スライドプレート５は、ソケット本体２に上下動可能に配設され、スプリングにより上方に付勢されている。そして、スライドプレート５を上下動させるレバー６が一対（図面上一方は省略）配設されている。このレバー６は、回動軸７によりソケット本体２に、又、作用軸８によりスライドプレート5にそれぞれ回動可能に取り付けられると共に、上端部がソケットカバー４のカム面９に摺接している。これにより、ソケットカバー４を下降させると、カム面９に押されてレバー６が回動軸７を中心に図６中反時計回りに回動されることにより、スライドプレート５が下降するようになっている。そして、図６に示すようにこのスライドプレート５には、各コンタクトピン３間に位置するカム部が形成され、このカム部の両側に形成された摺動面が、両側に隣接するコンタクトピン３の弾性片の折曲部を押圧するようになっている。すなわち、この一つのカム部で、両側のコンタクトピン３の弾性片の折曲部を押圧することができるようになっており、コンタクトピン３の一対の弾性片の両折曲部は、このコンタクトピン３の両側に配置された一対のカム部により互いに接近する方向に押圧されることにより、両接触部が互いに開くように構成されている。
【０００６】
このような構成により、ＩＣパッケージ１をソケット本体２内に収容して電気部品用ソケットに接続するには、ソケット本体２の上部に装着されたソケットカバー４を下降させて、その四隅部に形成されたカム面９によりレバー６の上端部を押圧し、レバー６を回動軸７を支点として回動させ、これに伴い作用軸８を介してスライドプレート５を下降させる。これにより、スライドプレート５の下降によりコンタクトピン３が変位し、そのコンタクトピン３先端の接触部が開かれ、電気部品の接続端子部に接続するようになっていた（例えば、特許文献１参照）。
【特許文献１】特開２０００−２１５３０号公報
【発明の開示】
【発明が解決しようとする課題】
【０００７】
しかし、上記従来の電気部品用ソケットにおいては、上記レバー６を回動させるための回動軸７と、上記ソケットカバー４に加えられる下向きの操作力を上記スライドプレート５に伝えるための作用軸８を必要とするため、これらの軸を設置するスペースと、これらの軸に嵌め合う嵌合穴を設けるスペースを必要としていた。また、回動軸７と作用軸８とを必要とすることから、部品点数が多くなりコストを増加させていた。さらに、ソケット本体２やスライドプレート５等の製造工程において、嵌合穴の樹脂成形にスライド金型機構を必要とするためコストが増加し、また、スライド金型機構の構造が複雑であるため品質を安定化させることが難しかった。さらにまた、これらにより、電気部品用ソケットの設計の自由度も狭められていた。
【０００８】
そこで、本発明は、このような問題点に対処し、ソケット本体内に配設された複数のコンタクトピンを変位させて電気部品の接続端子部に離接させるスライドプレートを移動させるためのレバーの構造を簡単にすることにより、省スペース化と部品点数の削減を可能とする電気部品用ソケットを提供することを目的とする。
【課題を解決するための手段】
【０００９】
上記目的を達成するために、本発明による電気部品用ソケットは、電気部品を収容する収容部を有するソケット本体と、上記ソケット本体内に配設され上記電気部品の接続端子部に離接可能とされた複数のコンタクトピンと、上記ソケット本体の上部に上下動可能に装着されたソケットカバーと、上記ソケット本体内に上下動可能に配設され上記コンタクトピンを変位させて上記電気部品の接続端子部に離接させるスライドプレートと、上記ソケット本体とソケットカバーの下面との間に設けられ該ソケットカバーの下降操作の力を上記スライドプレートへ伝えて該スライドプレートを下降させるレバーと、を備える電気部品用ソケットにおいて、上記レバーは、その一端部に上記ソケット本体と係合する係合部を有し、他端部に上記ソケットカバーの下面に当接する当接部を有し、上記係合部と当接部との間に上記スライドプレートを下方に押圧する押圧部を有して形成されたものである。
【００１０】
このような構成により、一端部に上記ソケット本体と係合する係合部を有し、他端部に上記ソケットカバーの下面に当接する当接部を有し、上記係合部と当接部との間に上記スライドプレートを下方に押圧する押圧部を有して形成されたレバーによって、上記ソケットカバーの下降操作の力を上記スライドプレートへ伝えて該スライドプレートを下降させる。
【００１１】
また、上記レバーの係合部は、上記ソケット本体の内側面に形成された引掛部と係合するものである。これにより、上記レバーは、該レバーが有する係合部によって、上記ソケット本体の内側面に形成された引掛部に係合する。
【００１２】
さらに、上記レバーの当接部は、上記ソケットカバーの下面に形成された傾斜面に対して摺接するものである。これにより、上記レバーは、該レバーが有する当接部によって、上記ソケットカバーの下面に形成された傾斜面に対して摺接する。
【００１３】
さらにまた、上記レバーは、上記ソケット本体、ソケットカバー及びスライドプレートによって囲まれる空間内に配置されているものである。これにより、上記ソケット本体、ソケットカバー及びスライドプレートによって囲まれる空間内に配置されたレバーによって、上記ソケットカバーの下降操作の力を上記スライドプレートへ伝えて該スライドプレートを下降させる。
【発明の効果】
【００１４】
請求項１に係る発明によれば、一端部にソケット本体と係合する係合部を有し、他端部にソケットカバーの下面に当接する当接部を有し、係合部と当接部との間にスライドプレートを下方に押圧する押圧部を有して形成されたレバーにより、ソケットカバーの下降操作の力をスライドプレートへ伝えてこのスライドプレートを下降させることができる。これにより、レバーは、係合部を中心とする回動が可能となると共に、押圧部によるスライドプレートの押圧が可能となる。このため、レバーの回動を従来のような回動軸を用いずに行い、レバーによるスライドプレートの押圧を従来のような作用軸を用いずに行うことができる。したがって、回動軸及び作用軸を設ける必要がなく、各部品を小型化することができる。また、スライド金型機構を用いる必要がないため、品質を安定化させることができると共にコストを削減することができる。さらに、部品点数を削減することができ、コストをより削減することができる。さらにまた、スライド金型機構が不要であると共にレバーの数と配置の自由度が増したため、電気部品用ソケットの設計の自由度を上げることができる。
【００１５】
また、請求項２に係る発明によれば、レバーは、このレバーが有する係合部によって、ソケット本体の内側面に形成された引掛部に係合することができる。したがって、レバーは簡単な構造でソケット本体に係合することができる。
【００１６】
さらに、請求項３に係る発明によれば、レバーは、このレバーが有する当接部によって、ソケットカバーの下面に形成された傾斜面に対して摺接することができる。したがって、レバーは傾斜面に摺接しながら下方へ押圧されるため、ソケットカバーの下降量に対してレバーの当接部及び押圧部の下降量を変えることができる。
【００１７】
さらに、請求項４に係る発明によれば、ソケット本体、ソケットカバー及びスライドプレートによって囲まれる空間内に配置されたレバーにより、ソケットカバーの下降操作の力をスライドプレートへ伝えてスライドプレートを下降させることができる。したがって、レバーは、特別な固定構造を必要とせず電気部品用ソケット内の隙間を利用して固定されることができる。
【発明を実施するための最良の形態】
【００１８】
以下、本発明の実施形態を添付図面に基づいて詳細に説明する。
図１は本発明による電気部品用ソケットの実施形態を示す図である。この電気部品用ソケット２０は、ＩＣパッケージ等の電気部品を着脱可能に収容し回路基板に接続するもので、例えばオープントップタイプのソケットであり、ソケット本体２１と、コンタクトピン２２と、ソケットカバー２３と、スライドプレート２４と、レバー２５とを備えて成る。
【００１９】
まず、電気部品としてのＩＣパッケージは、内部にＩＣ（集積回路）等のデバイスを封入した矩形状のパッケージ本体の下面に接続端子部としての複数の半田ボールが突出されて、縦方向と横方向とにマトリックス状に配列されている。
【００２０】
ソケット本体２１は、図示省略の回路基板上面に装着され、内部に図示省略の電気部品を収容して固定することによりコンタクトピン２２と接合させるもので、収容部２７及びラッチ２８を有している。この収容部２７は、電気部品を位置決めして収容するもので、図２に示すように、ソケット本体２１の略中段に平面状に形成されている。また、ラッチ２８は、収容部２７に収容された電気部品を上方から押さえて固定するもので。収容部２７の前後に一対設けられている。
【００２１】
ソケット本体２１内には、図１に示すように、複数のコンタクトピン２２が配設されている。このコンタクトピン２２は、電気部品の接続端子部と回路基板とを電気的に接続するもので、図６に示す従来公知のコンタクトピン３と同様の形状をしており、バネ性を有する導電性に優れた２枚の細長板材を組み合わせて成り、先端を収容部２７の上面に略一致させ、下端をソケット本体２１の底面から所定量突出して配設されている。そして、後述のスライドプレート２４の上昇及び下降動作によりその先端の接触部が開閉して電気部品の接続端子部に離接可能とされている。
【００２２】
ソケット本体２１の上部には、ソケットカバー２３が上下動可能に装着されている。このソケットカバー２３は、その上下動によってソケット本体２１の収容部２７に収容された電気部品の接続端子部をコンタクトピン２２の接触部で挟み込んで接続固定するための操作部材となるもので、図２に示すように、電気部品を挿入可能に上部が開口されており、スライドプレート２４及びレバー２５を介してスプリング２９により上方に付勢されている。なお、ソケット本体２１、ソケットカバー２３及びスライドプレート２４は、絶縁性の樹脂材料で形成されている。
【００２３】
ソケット本体２１内には、スライドプレート２４が上下動可能に配設されている。このスライドプレート２４は、図６に示す従来の電気部品用ソケットと同様に、その上下動によってコンタクトピン２２を変位させて電気部品の接続端子部に先端の接触部を離接させるもので、図３に示すように、例えば厚さ3mm程度の矩形の板状体の四隅部にレバー２５とスプリング２９（図２参照）が当接する凸部２６を有して形成されており、板状体上面の周辺部と長手方向の中央部を除いて多数のピン穴３０が開けられ、この多数のピン穴３０に一本ずつコンタクトピン２２が挿入されている。なお、図２に示すように、スライドプレート２４は、その底面に介在されたスプリング２９によって上向きに付勢されている。そして、ソケット本体２１内にスライドプレート２４が上下動可能に配設された状態にて、その上部にソケットカバー２３が上下動可能に装着されている。
【００２４】
ソケット本体２１とソケットカバー２３の下面との間にはレバー２５が配置されている。このレバー２５は、ソケットカバー２３の下降操作の力をスライドプレート２４へ伝えてスライドプレート２４を下降させるもので、上記ソケットカバー２３の下降操作による下方への押圧と上記スプリング２９による上方への押し上げにより、上下方向に回動するようになっている。
【００２５】
ここで、本発明においては、図２及び図４に示すように、レバー２５はその一端部にソケット本体２１と係合する係合部３１を有し、他端部にソケットカバー２３の下面に当接する当接部３２を有し、係合部３１と当接部３２との間にスライドプレート２４を下方に押圧する押圧部３３を有して形成されている。この実施形態の場合、レバー２５は電気部品用ソケット２０の四隅部に配置され、例えば厚さ0.5mm、長さ6mm及び幅1mm程度の金属片によって略く字状に形成されている。係合部３１は、く字状の下辺３４の端部に設けられ、先端を外側に向けて横方向に突出した尖り形状に形成されている。また、当接部３２は、く字状の上辺３５の端部に設けられ、先端を上方に向けて半円状に突出して形成されている。さらに、押圧部３３は、く字状の上辺３５の根元部に設けられ、下向きに緩やかに膨らんだ曲線状に形成されている。
【００２６】
また、レバー２５の係合部３１は、図１に示されているように、ソケット本体２１の内側面に形成された引掛部３６と係合している。この実施形態の場合、引掛部３６は、ソケット本体２１内側面の垂直面３７に段部を設けることにより形成されており、レバー２５の係合部３１は、引掛部３６に係合されている。
【００２７】
さらに、レバー２５の当接部３２は、ソケットカバー２３の下面に形成された傾斜面３９に摺接する。この実施形態の場合、傾斜面３９は上向きに傾斜しており、ソケットカバー２３によるレバー２５の下方への押し下げ動作において、ソケットカバー２３の下降量よりも、レバー２５の当接部３２及び押圧部３３の下降量が少なくなるように形成されており、てこの作用を利用して、ソケットカバー２３の押し下げ力を低減させていることと、スムーズな押し下げ操作を実現している。
【００２８】
さらにまた、レバー２５は、ソケット本体２１、ソケットカバー２３及びスライドプレート２４によって囲まれる空間４０内に配置されている。これにより、レバー２５は上側は係合部３１によってソケット本体２１の引掛部３６に、下側は押圧部３３によってスライドプレート２４に、左側又は右側は下辺３４によってソケット本体２１又はスライドプレート２４に、前面及び後面はソケット本体２１によって規制されることにより外れることなく配置され、係合部３１を中心とした回動動作のみ許容されている。
【００２９】
次に、このように構成された電気部品用ソケットの使用状態について説明する。
まず、電気部品用ソケット２０は、その下面で図示省略の回路基板上に装着されることにより、図１に示すコンタクトピン２２と回路基板とが電気的に接続されている。この状態で、電気部品用ソケット２０に電気部品を収容するには、まず、ソケットカバー２３を下方に押圧する。これにより、ソケットカバー２３の傾斜面３９によって、レバー２５の当接部３２が下方に押圧され、図４及び図５に示すように、レバー２５が係合部３１を支点に回動し、押圧部３３がスライドプレート２４を上方から押圧して下降させる。これに伴い、スライドプレート２４がコンタクトピン２２を変位させ、その先端の接触部が開かれる。また同時に、これに連動してソケット本体２１のラッチ２８が解除位置に開かれる。次に、電気部品をソケット本体２１の収容部２７に収容する。これにより、電気部品の接続端子部が、コンタクトピン２２（図１参照）上端部の開かれた接触部内に非接触状態で入り込む。次に、ソケットカバー２３に加えていた下方への押圧力を解除する。これにより、スプリング２９によってスライドプレート２４が上昇し、これに伴いコンタクトピン２２（図１参照）上端部の接触部が閉じられて電気部品の接続端子部を狭持し電気的に接続する。またこれよりも先に、ソケット本体２１のラッチ２８が閉じて、電気部品を上方から押さえて固定する。
【００３０】
次に、電気部品用ソケット２０から電気部品を取り外すには、上記と同様に、まずソケットカバー２３を押し下げる。これに伴い、コンタクトピン２２の接触部が開かれると共にラッチ２８が解除位置に開かれる。これにより、電気部品とコンタクトピン２２との接続が解除されると共にラッチ２８による固定が解除され、電気部品を電気部品用ソケット２０から取り外すことができる。
【００３１】
このように、レバー２５の回動を従来の様な回動軸を用いずに係合部３１により行い、また、レバー２５によるスライドプレート２４の押圧を従来の様な作用軸を用いずに押圧部３３により行うことができるため、回動軸及び作用軸を設ける必要がなく、従来のようなレバー６が、ソケット本体２やスライドプレート５の外側に装着されて、外形が大きくなることがなく、各々の部品を小型化することができる。また、ソケット本体２１やスライドプレート２４等の樹脂成形の製造工程においてスライド金型機構を用いる必要がないため品質を安定化させることができる。さらに、レバー２５は、特別な固定構造を必要とせずに電気部品用ソケット２０内の隙間を利用して固定されることができる。このため、レバー２５の数と配置の自由度が増すと共に、スライド金型機構が不要になるため、電気部品用ソケットの設計の自由度を上げることができる。
【００３２】
なお、以上の説明においては、レバー２５の形状を略く字状としたが、本発明はこれに限られず、設置スペースの形状等に応じて他の形状、例えばＬ字状又はＳ字状等に変更してもよい。また、レバー２５の材質を金属製としたが、例えば樹脂製等にしてもよい。さらに、レバー２５の厚さを0.5mm程度としたが、例えば1mm、1.5mmなどとしてもよい。さらにまた、レバー２５の長さ及び幅をそれぞれ6mm及び1mm程度としたが、例えばそれぞれ10mm及び2mmなどとしてもよい。また、レバー２５は電気部品用ソケット２０の四隅部に配置されているとしたが、対角上の隅部にのみ配置したり、四隅部に加えて前後面の中央部に配置するなど、形状に応じて配置場所及び個数を変更してもよい。さらに、レバー２５の当接部３２が当接する傾斜面３９の傾斜は、ソケットカバー２３の下降量に対してレバー２５の当接部３２及び押圧部３３の下降量が少なくなるように上向きに形成されているとしたが、逆に当接部３２及び押圧部３３の下降量が多くなるように下向きに形成してもよいし、傾斜を設けないことにより下降量を当接部については等しく、押圧部については略等しくなるようにしてもよい。
【図面の簡単な説明】
【００３３】
【図１】本発明による電気部品用ソケットの実施形態を示す一部断面した正面図である。
【図２】上記電気部品用ソケットの一部断面した斜視図である。
【図３】上記電気部品用ソケットのスライドプレートを示す斜視図である。
【図４】上記電気部品用ソケットのレバーを示す正面図である。
【図５】上記電気部品用ソケットのソケットカバーを押し下げた状態を示す斜視図である。
【図６】従来例による電気部品用ソケットを示す一部断面した正面図である。
【符号の説明】
【００３４】
２０…電気部品用ソケット
２１…ソケット本体
２２…コンタクトピン
２３…ソケットカバー
２４…スライドプレート
２５…レバー
２７…収容部
３１…係合部
３２…当接部
３３…押圧部
３６…引掛部
４０…空間
【図１】
2008277104.tif 000003
【図２】
2008277104.tif 000004
【図３】
2008277104.tif 000005
【図４】
2008277104.tif 000006
【図５】
2008277104.tif 000007
【図６】
2008277104.tif 000008